【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
透明誘電体層と、
前記透明誘電体層の表面において第１方向に沿って隙間を空けて並ぶ複数の第１電極線と、
前記透明誘電体層の裏面において第２方向に沿って隙間を空けて並ぶ複数の第２電極線と、を備え、
前記複数の第１電極線には、
前記第１電極線の延在方向に沿って繰り返し設けられる複数の屈曲部を有する屈曲線である電極線が複数含まれ、
前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、
前記複数の第２電極線には、直線形状を有する電極線が含まれ、
前記透明誘電体層の表面から見て、
前記複数の第１電極線の各々は、前記複数の第２電極線の各々と交差し、
前記複数の屈曲部の少なくとも一部は、前記第２電極線間の隙間と対向する
タッチパネル。
【請求項２】
透明誘電体層と、
前記透明誘電体層の表面において第１方向に沿って隙間を空けて並ぶ複数の第１電極線と、
前記透明誘電体層の裏面において第２方向に沿って隙間を空けて並ぶ複数の第２電極線と、を備え、
前記複数の第１電極線には、
前記第１電極線の延在方向に沿って繰り返し設けられる複数の屈曲部を有する屈曲線である電極線が複数含まれ、
前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、
前記複数の第２電極線には、
前記第２電極線の延在方向に沿って繰り返し設けられる複数の屈曲部を有する屈曲線で
あって、前記複数の第１電極線に含まれる屈曲線とは異なる屈曲線形状を有する電極線が含まれ、
前記透明誘電体層の表面から見て、
前記第１電極線の延びる方向と前記第２電極線の延びる方向とのなす角度は、９０°とは異なる角度であり、
前記複数の第１電極線の各々は、前記複数の第２電極線の各々と交差し、
前記複数の第１電極線に含まれる屈曲線における前記複数の屈曲部の少なくとも一部は、前記第２電極線間の隙間と対向する
タッチパネル。
【請求項３】
マトリックス状に画素が配列された表示パネルと、
前記表示パネルに重ねられたタッチパネルと、
を備える表示装置であって、
前記タッチパネルは、
透明誘電体層と、
前記透明誘電体層の表面において第１方向に沿って隙間を空けて並ぶ複数の第１電極線と、
前記透明誘電体層の裏面において第２方向に沿って隙間を空けて並ぶ複数の第２電極線と、を備え、
前記複数の第１電極線には、
前記第１電極線の延在方向に沿って繰り返し設けられる複数の屈曲部を有する屈曲線である電極線が複数含まれ、
前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、
前記複数の第２電極線には、直線形状を有する電極線が含まれ、
前記透明誘電体層の表面から見て、
前記複数の第１電極線の各々は、前記複数の第２電極線の各々と交差し、
前記複数の屈曲部の少なくとも一部は、前記第２電極線間の隙間と対向する
表示装置。
【請求項４】
マトリックス状に画素が配列された表示パネルと、
前記表示パネルに重ねられたタッチパネルと、
を備える表示装置であって、
前記タッチパネルは、
透明誘電体層と、
前記透明誘電体層の表面において第１方向に沿って隙間を空けて並ぶ複数の第１電極線と、
前記透明誘電体層の裏面において第２方向に沿って隙間を空けて並ぶ複数の第２電極線と、を備え、
前記複数の第１電極線には、
前記第１電極線の延在方向に沿って繰り返し設けられる複数の屈曲部を有する屈曲線である電極線が複数含まれ、
前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、
前記複数の第２電極線には、
前記第２電極線の延在方向に沿って繰り返し設けられる複数の屈曲部を有する屈曲線であって、前記複数の第１電極線に含まれる屈曲線とは異なる屈曲線形状を有する電極線が含まれ、
前記透明誘電体層の表面から見て、
前記第１電極線の延びる方向と前記第２電極線の延びる方向とのなす角度は、９０°とは異なる角度であり、
前記複数の第１電極線の各々は、前記複数の第２電極線の各々と交差し、
前記複数の第１電極線に含まれる屈曲線における前記複数の屈曲部の少なくとも一部は、前記第２電極線間の隙間と対向する
表示装置。
【手続補正２】
【補正対象書類名】明細書
【補正対象項目名】０００７
【補正方法】変更
【補正の内容】
【０００７】
本開示の技術におけるタッチパネルの一態様は、透明誘電体層と、前記透明誘電体層の表面において第１方向に沿って隙間を空けて並ぶ複数の第１電極線と、前記透明誘電体層の裏面において第２方向に沿って隙間を空けて並ぶ複数の第２電極線と、を備える。前記複数の第１電極線には、前記第１電極線の延在方向に沿って繰り返し設けられる複数の屈曲部を有する屈曲線である電極線が複数含まれ、前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、前記複数の第２電極線には、直線形状を有する電極線が含まれ、前記透明誘電体層の表面から見て、前記複数の第１電極線の各々は、前記複数の第２電極線の各々と交差し、前記複数の屈曲部の少なくとも一部は、前記第２電極線間の隙間と対向する。
本開示の技術におけるタッチパネルの一態様は、透明誘電体層と、前記透明誘電体層の表面において第１方向に沿って隙間を空けて並ぶ複数の第１電極線と、前記透明誘電体層の裏面において第２方向に沿って隙間を空けて並ぶ複数の第２電極線と、を備える。前記複数の第１電極線には、前記第１電極線の延在方向に沿って繰り返し設けられる複数の屈曲部を有する屈曲線である電極線が複数含まれ、前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、前記複数の第２電極線には、前記第２電極線の延在方向に沿って繰り返し設けられる複数の屈曲部を有する屈曲線であって、前記複数の第１電極線に含まれる屈曲線とは異なる屈曲線形状を有する電極線が含まれ、前記透明誘電体層の表面から見て、前記第１電極線の延びる方向と前記第２電極線の延びる方向とのなす角度は、９０°とは異なる角度であり、前記複数の第１電極線の各々は、前記複数の第２電極線の各々と交差し、前記複数の第１電極線に含まれる屈曲線における前記複数の屈曲部の少なくとも一部は、前記第２電極線間の隙間と対向する。
【手続補正３】
【補正対象書類名】明細書
【補正対象項目名】０００８
【補正方法】変更
【補正の内容】
【０００８】
本開示の技術における表示装置の一態様は、マトリックス状に画素が配列された表示パネルと、前記表示パネルに重ねられたタッチパネルと、を備える。前記タッチパネルは、透明誘電体層と、前記透明誘電体層の表面において第１方向に沿って隙間を空けて並ぶ複数の第１電極線と、前記透明誘電体層の裏面において第２方向に沿って隙間を空けて並ぶ複数の第２電極線と、を備える。前記複数の第１電極線には、前記第１電極線の延在方向に沿って繰り返し設けられる複数の屈曲部を有する屈曲線である電極線が複数含まれ、前
記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、前記複数の第２電極線には、直線形状を有する電極線が含まれ、前記透明誘電体層の表面から見て、前記複数の第１電極線の各々は、前記複数の第２電極線の各々と交差し、前記複数の屈曲部の少なくとも一部は、前記第２電極線間の隙間と対向する。
本開示の技術における表示装置の一態様は、マトリックス状に画素が配列された表示パネルと、前記表示パネルに重ねられたタッチパネルと、を備える。前記タッチパネルは、透明誘電体層と、前記透明誘電体層の表面において第１方向に沿って隙間を空けて並ぶ複数の第１電極線と、前記透明誘電体層の裏面において第２方向に沿って隙間を空けて並ぶ複数の第２電極線と、を備える。前記複数の第１電極線には、前記第１電極線の延在方向に沿って繰り返し設けられる複数の屈曲部を有する屈曲線である電極線が複数含まれ、前記屈曲線において、前記複数の屈曲部における山部を結ぶ直線と、前記複数の屈曲部における谷部を結ぶ直線とによって挟まれる領域を当該屈曲線の屈曲領域とするとき、相互に隣り合う前記屈曲線における前記屈曲領域は、隙間を空けて並び、前記複数の第２電極線には、前記第２電極線の延在方向に沿って繰り返し設けられる複数の屈曲部を有する屈曲線であって、前記複数の第１電極線に含まれる屈曲線とは異なる屈曲線形状を有する電極線が含まれ、前記透明誘電体層の表面から見て、前記第１電極線の延びる方向と前記第２電極線の延びる方向とのなす角度は、９０°とは異なる角度であり、前記複数の第１電極線の各々は、前記複数の第２電極線の各々と交差し、前記複数の第１電極線に含まれる屈曲線における前記複数の屈曲部の少なくとも一部は、前記第２電極線間の隙間と対向する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】